【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、前記インデックスヘッダを通過する直前のタイミングで記録動作が中断されたときに記録動作が中断されていることを示すパターンを記録するための第１の領域と、
を備えたことを特徴とする情報記録媒体。
【請求項２】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、前記インデックスヘッダを通過する直前のタイミングで記録動作が中断されたときに記録動作が中断されていることを示すパターンを記録するための第１の領域とを備え、
前記情報記録媒体に対して情報を記録する情報記録装置であって、
前記インデックスヘッダにエンボス記録されたアドレス情報、及び前記スパイラルトラックに設けられた前記ウォブルを頼りにして、前記スパイラルトラックに対して目的の情報を連続記録する記録手段を備えたことを特徴とする情報記録装置。
【請求項３】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、前記インデックスヘッダを通過する直前のタイミングで記録動作が中断されたときに記録動作が中断されていることを示すパターンを記録するための第１の領域と、
前記スパイラルトラックのうちの、前記インデックスヘッダの直後に位置する領域であって、前記インデックスヘッダを通過した直後のタイミングで記録動作が再開されたときに記録動作が再開されたことを示すパターンを記録するための第２の領域とを備え、
前記情報記録媒体に対して情報を記録する情報記録装置であって、
前記インデックスヘッダにエンボス記録されたアドレス情報、及び前記スパイラルトラックに設けられた前記ウォブルを頼りにして、前記スパイラルトラックに対して目的の情報を連続記録する記録手段を備えたことを特徴とする情報記録装置。
【請求項４】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、前記インデックスヘッダを通過する直前のタイミングで記録動作が中断されたときに記録動作が中断されていることを示すパターンを記録するための第１の領域とを備え、
前記情報記録媒体に対して情報を記録する情報記録方法であって、
前記インデックスヘッダにエンボス記録されたアドレス情報、及び前記スパイラルトラックに設けられた前記ウォブルを頼りにして、前記スパイラルトラックに対して目的の情報を連続記録する記録ステップを備えたことを特徴とする情報記録方法。
【請求項５】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、前記インデックスヘッダを通過する直前のタイミングで記録動作が中断されたときに記録動作が中断されていることを示すパターンを記録するための第１の領域と、
前記スパイラルトラックのうちの、前記インデックスヘッダの直後に位置する領域であって、前記インデックスヘッダを通過した直後のタイミングで記録動作が再開されたときに記録動作が再開されたことを示すパターンを記録するための第２の領域とを備え、
前記情報記録媒体に対して情報を記録する情報記録方法であって、
前記インデックスヘッダにエンボス記録されたアドレス情報、及び前記スパイラルトラックに設けられた前記ウォブルを頼りにして、前記スパイラルトラックに対して目的の情報を連続記録する記録ステップを備えたことを特徴とする情報記録方法。
【請求項６】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、記録動作が中断されていることを示すパターンが記録された第１の領域とを備え、
前記情報記録媒体から情報を再生する情報再生装置であって、
前記インデックスヘッダからアドレス情報を再生し、ここで再生されるアドレス情報及び前記スパイラルトラックに設けられた前記ウォブルを頼りにして、前記スパイラルトラックから目的の情報を連続再生する再生手段を備えたことを特徴とする情報再生装置。
【請求項７】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、記録動作が中断されていることを示すパターンが記録された第１の領域と、
前記スパイラルトラックのうちの、前記インデックスヘッダの直後に位置する領域であって、記録動作が再開されたことを示すパターンが記録された第２の領域とを備え、
前記情報記録媒体から情報を再生する情報再生装置であって、
前記インデックスヘッダからアドレス情報を再生し、ここで再生されるアドレス情報及び前記スパイラルトラックに設けられた前記ウォブルを頼りにして、前記スパイラルトラックから目的の情報を連続再生する再生手段を備えたことを特徴とする情報再生装置。
【請求項８】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、記録動作が中断されていることを示すパターンが記録された第１の領域とを備え、
前記情報記録媒体から情報を再生する情報再生方法であって、
前記インデックスヘッダからアドレス情報を再生し、ここで再生されるアドレス情報及び前記スパイラルトラックに設けられた前記ウォブルを頼りにして、前記スパイラルトラックから目的の情報を連続再生する再生ステップを備えたことを特徴とする情報再生方法。
【請求項９】
ディスク形状の情報記録媒体であって、
ウォブル形状を有するスパイラルトラックと、
前記スパイラルトラックを遮断するようにディスクの半径方向に沿ってアラインされたものであって、各トラックの方向に沿って各トラックのアドレス情報がエンボス記録されたインデックスヘッダと、
前記スパイラルトラックのうちの、前記インデックスヘッダの直前に位置する領域であって、記録動作が中断されていることを示すパターンが記録された第１の領域と、
前記スパイラルトラックのうちの、前記インデックスヘッダの直後に位置する領域であって、記録動作が再開されたことを示すパターンが記録された第２の領域とを備え、
前記情報記録媒体から情報を再生する情報再生方法であって、
前記インデックスヘッダからアドレス情報を再生し、ここで再生されるアドレス情報及び前記スパイラルトラックに設けられた前記ウォブルを頼りにして、前記スパイラルトラックから目的の情報を連続再生する再生ステップを備えたことを特徴とする情報再生方法。